(57)【要約】【課題】電力消費を抑えつつ省電力状態から通常電力状態へ復帰する際のユーザーの待ち時間を短くできること。【解決手段】感度設定部５ｅは、他装置から受信されるジョブデータＪ０の内容に応じて、受信データ処理部を含む特定装置が予め定められた休止状態であるときの人感センサー７の感度を設定する。休止制御部５ｃは、予め定められた休止条件が成立する場合に、前記特定装置を前記休止状態へ移行させる。復帰制御部５ｄは、前記特定装置が前記休止状態である状況下で前記人感センサー７により人が検出されたときに前記特定装置を前記休止状態から前記休止状態よりも消費電力の大きな復帰状態へ移行させる。【選択図】図１
2020014031.tif 000002
【特許請求の範囲】
【請求項１】
他装置からプリント処理に関する対象データおよび前記対象データの処理要求を含むジョブデータを受信する通信装置と、
前記処理要求に応じて前記対象データを処理する受信データ処理部と、
予め設定される感度で人を検出する人感センサーと、
前記ジョブデータの内容に応じて、前記受信データ処理部を含む特定装置が予め定められた休止状態であるときの前記人感センサーの感度を設定する感度設定部と、
予め定められた休止条件が成立する場合に、前記特定装置を前記休止状態へ移行させる休止制御部と、
前記特定装置が前記休止状態である状況下で前記人感センサーにより人が検出されたときに前記特定装置を前記休止状態から前記休止状態よりも消費電力の大きな復帰状態へ移行させる復帰制御部と、を備える画像形成装置。
【請求項２】
前記感度設定部は、前記ジョブデータの前記処理要求が前記対象データに基づく画像をシートに形成するプリント処理の要求である場合に、前記ジョブデータの前記処理要求が前記対象データを不揮発性の記憶装置に記憶させるデータ格納処理の要求である場合よりも、前記人感センサーの感度を鈍い感度に設定する、請求項１に記載の画像形成装置。
【請求項３】
前記ジョブデータの内容に応じて、予め定められた複数の候補状態の中から前記復帰状態を選択する復帰状態選択部をさらに備える、請求項１または請求項２に記載の画像形成装置。
【請求項４】
前記復帰状態選択部は、前記ジョブデータの前記処理要求が前記対象データを前記記憶装置に記憶させるデータ格納処理の要求である場合に、前記ジョブデータの前記処理要求が前記対象データに基づく画像をシートに形成するプリント処理の要求である場合よりも、前記プリント処理を実行可能な状態への移行時間が短い前記候補状態を前記復帰状態として選択する、請求項３に記載の画像形成装置。
【請求項５】
前記感度設定部は、前記特定装置が前記休止状態へ移行した後に予め定められた初期化条件が成立したときに、前記ジョブデータの内容に応じて設定された感度から予め定められた基準感度へ変更する、請求項１から請求項４のいずれか１項に記載の画像形成装置。
【請求項６】
前記初期化条件が、ユーザーの操作を受け付ける操作装置に予め定められた復帰操作が行われたこと、および、直近に前記ジョブデータが受信された時点もしくは直近に受信された前記ジョブデータに対応する前記対象データの処理が終了した時点から予め定められた初期化時間が経過したこと、の一方または両方を含む、請求項５に記載の画像形成装置。
【発明の詳細な説明】
【技術分野】
【０００１】
本発明は、人感センサーを備える画像形成装置に関する。
【背景技術】
【０００２】
画像形成装置は、ホスト装置からプリント要求とともにプリントデータを受信し、前記プリントデータに基づくプリント処理を実行する。
【０００３】
また、前記画像形成装置は、予め定められた休止条件が成立するとプリント処理装置およびプリントエンジンなどの特定装置を休止状態へ移行させる。前記特定装置が前記休止状態へ移行した状態は、省電力状態またはスリープ状態などと称される。
【０００４】
前記休止条件は、節電キーが操作されること、または、プリント処理を要求されない状態が予め定められた時間継続すること、などである。
【０００５】
また、前記画像形成装置が人感センサーを備える場合がある。この場合、前記画像形成装置は、前記特定装置が前記休止状態であるときに前記人感センサーが人を検出した場合、自動的に前記特定装置を前記休止状態から所定の状態へ移行させる。
【０００６】
また、前記画像形成装置の電源制御部が、前記節電キーへの操作に応じて前記画像形成装置を前記省電力状態へ移行させた場合に、前記人感センサーが人を検出しなくなるまで前記省電力状態から通常電力状態への移行を制限することが知られている（例えば、特許文献１参照）。
【先行技術文献】
【特許文献】
【０００７】
【特許文献１】特開２０１５−０５９３０号公報
【発明の概要】
【発明が解決しようとする課題】
【０００８】
ところで、前記画像形成装置が、前記ホスト装置からデータ格納処理の要求とともにプリント対象データを受信した場合に、前記データ格納処理を実行する機能を備える場合がある。前記データ格納処理は、受信した前記プリント対象データを不揮発性の記憶装置に記憶させる処理である。
【０００９】
前記データ格納処理を実行可能な前記画像形成装置は、ユーザーによる格納データ出力操作に応じて、前記記憶装置に記憶された前記プリント対象データに基づく前記プリント処理を実行する機能も備える。
【００１０】
ユーザーは、前記データ格納処理の要求を送信する操作を前記ホスト装置に対して行った場合、比較的短時間のうちに、前記画像形成装置に対して前記格納データ出力操作を行うことが多い。
【００１１】
従って、前記画像形成装置が、前記データ格納処理の要求に応じた処理を実行した後の前記省電力状態において、前記人感センサーによる人の検出に応じて速やかに通常電力状態へ復帰することは、好ましい場合が多い。これにより、前記格納データ出力操作を行うために前記画像形成装置に近づいたユーザーが、速やかに目的の印刷物を得ることができる。
【００１２】
一方、前記プリント処理の要求を送信する操作を前記ホスト装置に対して行ったユーザーは、比較的短時間のうちに、目的の印刷物を取得するために前記画像形成装置の位置へ移動することが多い。
【００１３】
従って、前記画像形成装置が、前記ホスト装置からの要求に応じた前記プリント処理を実行した後の前記省電力状態において、前記人感センサーが、印刷物を取得するために近づくユーザーを検出しないことが、省電力の面で好ましい場合が多い。
【００１４】
しかしながら、前記人感センサーの感度が常に低い場合、前記画像形成装置を操作するために前記画像形成装置に近づいたユーザーの待ち時間が長くなり、ユーザーの利便性が損なわれるおそれがある。
【００１５】
本発明の目的は、電力消費を抑えつつ省電力状態から通常電力状態へ復帰する際のユーザーの待ち時間を短くできる画像形成装置を提供することにある。
【課題を解決するための手段】
【００１６】
本発明の一の局面に係る画像形成装置は、通信装置と、受信データ処理部と、人感センサーと、感度設定部と、休止制御部と、復帰制御部と、を備える。前記通信装置は、他装置からプリント処理に関する対象データおよび前記対象データの処理要求を含むジョブデータを受信する。前記受信データ処理部は、前記処理要求に応じて前記対象データを処理する。前記人感センサーは、予め設定される感度で人を検出する。前記感度設定部は、前記ジョブデータの内容に応じて、前記受信データ処理部を含む特定装置が予め定められた休止状態であるときの前記人感センサーの感度を設定する。前記休止制御部は、予め定められた休止条件が成立する場合に、前記特定装置を前記休止状態へ移行させる。前記復帰制御部は、前記特定装置が前記休止状態である状況下で前記人感センサーにより人が検出されたときに前記特定装置を前記休止状態から前記休止状態よりも消費電力の大きな復帰状態へ移行させる。
【発明の効果】
【００１７】
本発明によれば、電力消費を抑えつつ省電力状態から通常電力状態へ復帰する際のユーザーの待ち時間を短くできる画像形成装置を提供することが可能になる。
【図面の簡単な説明】
【００１８】
【図１】図１は、実施形態に係る画像形成装置の構成を示すブロック図である。
【図２】図２は、実施形態に係る画像形成装置による通常状態処理の手順の一例を示すフローチャートである。
【図３】図３は、実施形態に係る画像形成装置による受信対応処理の手順の一例を示すフローチャートである。
【図４】図４は、実施形態に係る画像形成装置による休止状態処理の手順の一例を示すフローチャートである。
【図５】図５は、実施形態に係る画像形成装置による中間状態処理の手順の一例を示すフローチャートである。
【発明を実施するための形態】
【００１９】
以下、図面を参照しながら、本発明の実施形態について説明する。なお、以下の実施形態は、本発明を具体化した一例であって、本発明の技術的範囲を限定するものではない。
【００２０】
［画像形成装置１０の構成］
実施形態に係る画像形成装置１０は、シート９１に画像を形成するプリント処理を実行するプリント処理装置１を備え、前記プリント処理に関するジョブを実行する。
【００２１】
さらに、画像形成装置１０は、原稿９２から画像を読み取る画像読取処理を実行する画像読取装置２も備える。例えば、画像形成装置１０は、複写機または複写機能およびファクシミリ通信装置能を有する複合機などである。
【００２２】
画像形成装置１０は、インターネットまたはＷＡＮ（Wide Area Network）などのネットワーク８０を通じて、ホスト装置８などの他装置と通信可能である。ホスト装置８は、画像形成装置１０と通信可能なコンピューターである。
【００２３】
図１に示されるように、画像形成装置１０は、画像読取装置２、プリント処理装置１，ユーザーインターフェイスユニット３、二次記憶装置４、制御装置５、通信装置６および人感センサー７などを備える。
【００２４】
ユーザーインターフェイスユニット３は、操作装置３ａおよび表示装置３ｂを含むユーザーインターフェイスである。操作装置３ａは、ユーザーの操作を受け付ける装置であり、例えば復帰ボタンおよびタッチパネルなどを含む。表示装置３ｂは、情報を表示可能な液晶パネルなどの表示パネルを含む。
【００２５】
通信装置６は、ネットワーク８０を通じてホスト装置８などの前記他装置との間で通信を行う通信インターフェイスデバイスである。制御装置５は、前記他装置との間のデータの送信および受信の全てを、通信装置６を通じて行う。
【００２６】
二次記憶装置４は、コンピューター読み取り可能な不揮発性の記憶装置である。二次記憶装置４は、プログラムおよび各種のデータを記憶可能である。例えば、ハードディスクドライブおよびＳＳＤ（Solid State Drive）の一方または両方の組合せが、二次記憶装置４として採用される。
【００２７】
画像読取装置２は、原稿９２の画像を読み取る読取処理を実行する装置である。画像読取装置２は、光源２ａ、走査機構２ｂ、イメージセンサー２ｃおよびＡＦＥ（Analog Front End）２ｄなどを備える。
【００２８】
光源２ａは、原稿９２に対して光を出射する。走査機構２ｂは、光源２ａの光を原稿９２に対して走査させる。イメージセンサー２ｃは、原稿９２からの反射光を受光し、受光量の検出信号を画像信号として出力する。
【００２９】
ＡＦＥ（２ｄ）は、前記画像信号をデジタルの画像データへ変換する。以下の説明において、画像読取装置２の前記読取処理によって原稿９２から読み取られた画像のことを読取画像と称する。
【００３０】
プリント処理装置１は、電子写真方式またはインクジェット方式などの予め定められた方式でシート９１に画像を形成するプリント処理を実行する装置である。
【００３１】
本実施形態において、プリント処理装置１は、前記読取画像のデータまたは通信装置６を通じて前記他装置から受信される対象データＤ０に基づいて前記プリント処理を実行可能である。対象データＤ０は、前記プリント処理の対象となる画像を表すデータである。
【００３２】
例えば、プリント処理装置１が電子写真方式で前記プリント処理を実行する装置である場合、プリント処理装置１は、シート搬送機構１ａ、感光体１ｂ、帯電装置１ｃ、レーザースキャニングユニット１ｄ、現像装置１ｅ、転写装置１ｆおよび定着装置１ｇなどを備える。
【００３３】
シート搬送機構１ａは、予め定められた経路に沿ってシート９１を搬送する。帯電装置１ｃは、感光体１ｂの表面を帯電させる。レーザースキャニングユニット１ｄは、帯電した感光体１ｂの表面に静電潜像を書き込む。
【００３４】
現像装置１ｅは、感光体１ｂ上の前記静電潜像をトナー像へ現像する。転写装置１ｆは、感光体１ｂ上の前記トナー像をシート９１に転写する。定着装置１ｇは、シート９１上の前記トナー像を加熱することにより、前記トナー像をシート９１に定着させる。
【００３５】
人感センサー７は、画像形成装置１０の前に存在する人を検出するセンサーである。例えば、人感センサー７が、赤外線センサーまたは超音波センサーなどであることが考えられる。
【００３６】
制御装置５は、各種の演算、データ処理および画像形成装置１０が備える各種の電気機器の制御を実行する。制御装置５は、画像読取装置２、プリント処理装置１、ユーザーインターフェイスユニット３および通信装置６との間でデータおよび制御信号の受け渡しが可能である。
【００３７】
制御装置５は、プリントエンジン５０、ＣＰＵ５１およびＲＡＭ（Random Access Memory）５２などを含む。プリントエンジン５０は、ＣＰＵ５１からの指令に従ってプリント処理装置１を制御することにより、プリント処理装置１に前記プリント処理を実行させる。
【００３８】
プリントエンジン５０は、不図示のＭＰＵ（Micro Processing Unit）もしくはＤＳＰ（Digital Signal Processor）などのプロセッサー、またはＡＳＩＣ（Application Specific Integrated Circuit）などの回路によって実現される。
【００３９】
ＣＰＵ５１は、二次記憶装置４に記憶されたプログラムを実行することにより、各種のデータ処理および制御を実行するプロセッサーである。なお、ＤＳＰなどの他のプロセッサーが、ＣＰＵ５１の代わりに前記データ処理および制御を実行することも考えられる。
【００４０】
ＲＡＭ５２は、ＣＰＵ５１が実行する前記プログラムおよびＣＰＵ５１が前記プログラムを実行する過程で出力および参照するデータを一次記憶する揮発性の記憶装置である。
【００４１】
ＣＰＵ５１は、前記プログラムを実行することにより、主制御部５ａ、ジョブ制御部５ｂ、休止制御部５ｃおよび復帰制御部５ｄなどとして動作する。
【００４２】
主制御部５ａは、主としてユーザーインターフェイスユニット３および通信装置６を制御する。ジョブ制御部５ｂは、主としてプリントエンジン５０および画像読取装置２などを制御する。
【００４３】
例えば、通信装置６が、ホスト装置８からジョブ要求コマンドＣＭ０および対象データＤ０を含むジョブデータＪ０を受信し、ジョブ要求コマンドＣＭ０がプリント要求を表す場合に、ジョブ制御部５ｂは、プリントエンジン５０に受信プリント指令を出力する。
【００４４】
ジョブ要求コマンドＣＭ０は、対象データＤ０の処理要求を表す。前記プリント要求は、前記プリント処理の要求である。
【００４５】
プリントエンジン５０は、ジョブ制御部５ｂから前記受信プリント指令を受けた場合に、対象データＤ０に基づく前記プリント処理をプリント処理装置１に実行させる。なお、対象データＤ０に基づく前記プリント処理は、対象データＤ０に基づく画像をシート９１に形成する処理である。
【００４６】
休止制御部５ｃは、予め定められた休止条件が成立する場合に、プリント処理装置１を含む予め定められた特定装置を、通常状態から休止状態へ移行させる処理を実行する。前記休止状態は、前記通常状態よりも電力消費が小さい状態である。
【００４７】
前記通常状態は、前記プリント処理を実行可能な状態である。画像形成装置１０は、前記休止状態または前記中間状態から前記プリント処理を開始する場合、まず前記通常状態へ移行し、続いて前記プリント処理を実行する。
【００４８】
なお、前記通常状態は、通常電力状態に相当し、前記休止状態は、前記通常電力状態よりも消費電力の小さな省電力状態に相当する。
【００４９】
例えば、前記通常状態は、プリント処理装置１、画像読取装置２、表示装置３ｂおよびプリントエンジン５０への給電が維持された状態である。一方、前記休止状態は、プリント処理装置１、画像読取装置２、表示装置３ｂおよびプリントエンジン５０への給電が遮断された状態である。
【００５０】
さらに、休止制御部５ｃは、前記休止状態において、ＣＰＵ５１を通常モードよりも電力消費が小さいスリープモードで動作させる。例えば、ＣＰＵ５１は、前記スリープモードにおいて、前記通常モードよりも低い周波数のクロックで動作する。
【００５１】
なお、プリント処理装置１、画像読取装置２、表示装置３ｂ、プリントエンジン５０およびＣＰＵ５１は、前記特定装置の一例である。
【００５２】
なお、ＣＰＵ５１は、画像形成装置１０が前記休止状態であるときも、通信装置６を通じてジョブデータＪ０を受信することができる。
【００５３】
前記休止条件は、操作装置３ａに対する操作が検出されない無操作状態が予め定められた無操作設定時間を越えて継続しており、かつ、ホスト装置８からの要求に応じた処理が未完了の状態で残されておらず、かつ、人感センサー７が人を検出していないという第１休止条件を含む。
【００５４】
また、前記休止条件が、操作装置３ａに対する予め定められた休止操作おこなわれた、という第２条件を含む場合もある。さらに、前記休止条件が、現在時刻が予め設定された休止時間帯に入った、という第３条件を含む場合もある。
【００５５】
例えば、前記休止条件が、前記第１休止条件、前記第２休止条件および前記第３休止条件の論理和であることが考えられる。
【００５６】
また、復帰制御部５ｄは、予め定められた復帰条件が成立した場合に、前記特定装置を前記休止状態から前記通常状態へ移行させる。復帰制御部５ｄは、前記通常状態において、ＣＰＵ５１を前記通常モードで動作させる。
【００５７】
画像形成装置１０は、前記休止状態から前記プリント処理を開始する場合、まず、復帰制御部５ｄが前記特定装置を前記通常状態へ移行させ、続いてプリントエンジン５０がプリント処理装置１に前記プリント処理を実行させる。
【００５８】
例えば、前記復帰条件は、以下に示される第１復帰条件、第２復帰条件および第３復帰条件の論理和の条件である。
【００５９】
前記第１復帰条件は、操作装置３ａに対して予め定められた復帰操作が行われたという条件である。前記第２復帰条件は、通信装置６を通じてホスト装置８からジョブデータＪ０を受信したという条件である。前記第３復帰条件は、前記休止状態において人感センサー７が人を検出したという条件である。
【００６０】
ところで、前記画像形成装置１０において、ジョブ制御部５ｂは、データ格納処理を実行する機能も備える。前記データ格納処理は、通信装置６がホスト装置８から受信した対象データＤ０を二次記憶装置４に記憶させる処理である。
【００６１】
ジョブ制御部５ｂは、通信装置６がホスト装置８からデータ格納要求を表すジョブ要求コマンドＣＭ０とともに対象データＤ０を受信した場合に、前記データ格納処理を実行する。前記データ格納要求は、前記データ格納処理の要求であり、対象データＤ０の処理要求の一例である。
【００６２】
前記データ格納処理を実行可能な画像形成装置１０において、ジョブ制御部５ｂは、格納データプリント処理を実行する機能も備える。前記格納データプリント処理は、ユーザーによる操作装置３ａに対する格納データ出力操作に応じて、二次記憶装置に記憶された対象データＤ０に基づく前記プリント処理をプリント処理装置１に実行させる処理である。
【００６３】
前記格納データプリント処理において、ジョブ制御部５ｂは、プリントエンジン５０を通じて、プリント処理装置１に前記プリント処理を実行させる。
【００６４】
なお、プリント処理装置１、プリントエンジン５０およびＣＰＵ５１は、ジョブ要求コマンドＣＭ０に応じて対象データＤ０を処理する受信データ処理部の一例である。
【００６５】
ユーザーは、前記データ格納要求を送信する操作をホスト装置８に対して行った場合、比較的短時間のうちに、画像形成装置１０の操作装置３ａに対して前記格納データ出力操作を行うことが多い。
【００６６】
従って、画像形成装置１０が、前記データ格納要求に応じた処理を実行した後の前記省電力状態において、人感センサー７による人の検出に応じて速やかに前記通常状態へ復帰することは、好ましい場合が多い。これにより、前記格納データ出力操作を行うために画像形成装置１０に近づいたユーザーが、速やかに目的の印刷物を得ることができる。
【００６７】
一方、前記プリント要求を送信する操作をホスト装置８に対して行ったユーザーは、比較的短時間のうちに、目的の印刷物を取得するために画像形成装置１０の位置へ移動することが多い。
【００６８】
従って、画像形成装置１０が、ホスト装置８からの要求に応じた前記プリント処理を実行した後の前記省電力状態において、人感センサー７が、印刷物を取得するために近づくユーザーを検出しないことが、省電力の面で好ましい場合が多い。
【００６９】
しかしながら、人感センサー７の感度が常に低い場合、画像形成装置１０を操作するために画像形成装置１０に近づいたユーザーの待ち時間が長くなり、ユーザーの利便性が損なわれるおそれがある。
【００７０】
画像形成装置１０において、ＣＰＵ５１は、後述する通常状態処理、受信対応処理および休止状態処理を実行する。これにより、画像形成装置１０は、電力消費を抑えつつ前記休止状態から前記通常状態へ復帰する際のユーザーの待ち時間を短くできる。
【００７１】
本実施形態において、人感センサー７は、ＣＰＵ５１から供給される感度設定信号に従って、人を検出する感度を変更する機能を備える。
【００７２】
また、ＣＰＵ５１は、前記プログラムを実行することにより、さらに感度設定部５ｅおよび復帰状態選択部５ｆとしても動作する。
【００７３】
例えば、人感センサー７の感度は、方向感度、距離感度および時間感度のうちの１つまたは複数の組合せである。
【００７４】
前記方向感度は、人を検出可能な方向の範囲である。例えば、前記方向感度は、人感センサー７の正面方向を中心とする水平角の大きさである。人を検出可能な方向の範囲が広いこと、即ち、前記水平角が大きいことは、前記方向感度が高いことを意味する。
【００７５】
前記距離感度は、人を検出可能な最大距離であり、人感センサー７の位置からの距離で表される。人を検出可能な最大距離が大きいことは、前記距離感度が高いことを意味する。
【００７６】
人感センサー７の人の検出可能範囲は、前記方向感度および前記距離感度の一方または両方によって定まる。
【００７７】
前記時間感度は、人を検出するために、前記検出可能範囲内に人が存在し続けなければならない最短滞在時間である。前記最短滞在時間が短いことは、前記時間感度が高いことを意味する。
【００７８】
ＣＰＵ５１は、感度設定部５ｅの処理に従って前記方向感度、前記距離感度および前記時間感度のうちの１つまたは複数を指定する感度設定信号を人感センサー７へ出力する。
【００７９】
人感センサー７は、前記感度設定信号に従って、前記方向感度、前記距離感度および前記時間感度のうちの１つまたは複数を調整する回路を備える。即ち、人感センサー７は、前記感度設定信号によって予め設定される感度で人を検出する。
【００８０】
また、本実施形態において、主制御部５ａは、操作装置３ａに対する復帰モード設定操作に従って、復帰モードを標準復帰モードおよび特別復帰モードのいずれかに設定する機能を備える。
【００８１】
前記復帰モードが前記標準復帰モードに設定されている場合、復帰制御部５ｄは、前記特定装置が前記休止状態である状況下で前記復帰条件が成立したときに、前記特定装置を前記休止状態から前記通常状態へ移行させる。
【００８２】
一方、前記復帰モードが前記特別復帰モードに設定されている場合、復帰制御部５ｄは、前記特定装置が前記休止状態である状況下で前記復帰条件が成立したときに、前記特定装置を前記休止状態から指定復帰状態へ移行させる。
【００８３】
前記指定復帰状態は、復帰状態選択部５ｆによって複数の候補状態から予め選択される状態である。本実施形態において、前記複数の候補状態は、前記通常状態および中間状態の２つである。前記中間状態は、前記特定装置の消費電力が前記休止状態よりも大きく前記通常状態よりも小さい状態である。
【００８４】
例えば、前記中間状態は、プリント処理装置１、画像読取装置２、表示装置３ｂおよびプリントエンジン５０への給電が遮断され、ＣＰＵ５１が前記通常モードで動作する状態である。
【００８５】
画像形成装置１０は、前記休止状態または前記中間状態から前記プリント処理を開始する場合、まず前記通常状態へ移行し、続いて前記プリント処理を実行する。
【００８６】
また、画像形成装置１０において、前記中間状態から前記通常状態への移行に要する時間は、前記休止状態から前記通常状態への移行に要する時間よりも短い。
【００８７】
［通常状態処理］
以下、図２に示されるフローチャートを参照しつつ、前記通常状態処理の手順の一例について説明する。
【００８８】
ＣＰＵ５１は、前記復帰モードが前記特別復帰モードに設定さており、かつ、前記特定装置が前記通常状態であるときに、図２に示される前記通常状態処理を実行する。以下の説明において、Ｓ１０１，Ｓ１０２，…は、前記通常状態処理における複数の工程の識別符号を表す。
【００８９】
＜工程Ｓ１０１＞
前記通常状態処理において、感度設定部５ｅが、人感センサー７の感度を予め定められた基準感度に設定する。本実施形態において、前記基準感度は、人感センサー７の最高感度よりも低く、最低感度よりも高い感度である。
【００９０】
＜工程Ｓ１０２＞
また、前記通常状態処理において、ジョブ制御部５ｂが、ジョブデータＪ０がホスト装置８から受信されるか否かを確認する。
【００９１】
ジョブ制御部５ｂは、ジョブデータＪ０がホスト装置８から受信された場合に処理を工程Ｓ１０３へ移行させ、そうでない場合に処理を工程Ｓ１０４へ移行させる。
【００９２】
＜工程Ｓ１０３＞
工程Ｓ１０３において、ジョブ制御部５ｂ、感度設定部５ｅおよび復帰状態選択部５ｆが、前記受信対応処理を実行する（図３参照）。
【００９３】
後述するように、前記受信対応処理において、ホスト装置８から受信されたジョブデータＪ０に対応する処理が実行される。ジョブ制御部５ｂは、前記受信対応処理の終了後、処理を工程Ｓ１０２へ移行させる。なお、前記受信対応処理の詳細については後述する。
【００９４】
＜工程Ｓ１０４＞
一方、工程Ｓ１０４において、休止制御部５ｃが、前記休止条件が成立するか否かを判定する。そして、休止制御部５ｃは、前記休止条件が成立すると判定する場合、処理を工程Ｓ１０５へ移行させ、そうでない場合、処理を工程Ｓ１０６へ移行させる。
【００９５】
＜工程Ｓ１０５＞
工程Ｓ１０５において、休止制御部５ｃが、前記特定装置を前記休止状態へ移行させる。これにより、前記通常状態処理が終了する。
【００９６】
＜工程Ｓ１０６＞
一方、工程Ｓ１０６において、主制御部５ａが、操作装置３ａに対する前記復帰操作以外の操作が行われるか否かを確認する。主制御部５ａは、操作装置３ａに対する前記復帰操作以外の操作が行われた場合に処理を工程Ｓ１０７へ移行させ、そうでない場合に処理を工程Ｓ１０２へ移行させる。
【００９７】
＜工程Ｓ１０７＞
工程Ｓ１０７において、主制御部５ａまたはジョブ制御部５ｂが、工程Ｓ１０６で検出される操作に対応する処理を実行する。
【００９８】
例えば、操作装置３ａに対する前記格納データ出力操作が検出される場合、ジョブ制御部５ｂが、前記格納データプリント処理を実行する。
【００９９】
また、操作装置３ａに対する画面切替操作が検出される場合、主制御部５ａは、表示装置３ｂに表示させる画面を、前記画面切替操作に対応する画面へ切り替える処理を実行する。
【０１００】
［受信対応処理］
次に、図３に示されるフローチャートを参照しつつ、図２の工程Ｓ１０３で実行される前記受信対応処理の手順の一例について説明する。
【０１０１】
以下の説明において、Ｓ２０１，Ｓ２０２，…は、前記受信対応処理における複数の工程の識別符号を表す。
【０１０２】
＜工程Ｓ２０１＞
前記受信対応処理において、ジョブ制御部５ｂは、ホスト装置８から受信されたジョブデータＪ０のジョブ要求コマンドＣＭ０が表す要求内容に応じて、次に行われる処理を選択する。
【０１０３】
ジョブ制御部５ｂは、ジョブ要求コマンドＣＭ０が前記プリント要求を表す場合、処理を工程Ｓ２０２へ移行させる。また、ジョブ制御部５ｂは、ジョブ要求コマンドＣＭ０が前記データ格納要求を表す場合、処理を工程Ｓ２０５へ移行させる。
【０１０４】
＜工程Ｓ２０２＞
工程Ｓ２０２において、ジョブ制御部５ｂが、プリントエンジン５０を通じて、ジョブデータＪ０における対象データＤ０に基づく前記プリント処理をプリント処理装置１に実行させる。その後、ジョブ制御部５ｂは、処理を工程Ｓ２０３へ移行させる。
【０１０５】
＜工程Ｓ２０３＞
工程Ｓ２０３において、感度設定部５ｅが、人感センサー７の感度を、前記基準感度よりも低い予め定められた低感度に設定する。その後、感度設定部５ｅは、処理を工程Ｓ２０４へ移行させる。
【０１０６】
なお、人感センサー７の感度を前記低感度に設定することは、人感センサー７を無効にすること、即ち、人感センサー７の感度を人の検出が不可能な状態に設定することを含む。
【０１０７】
＜工程Ｓ２０４＞
工程Ｓ２０４において、復帰状態選択部５ｆが、前記指定復帰状態として前記中間状態を選択する。その後、復帰状態選択部５ｆは、前記受信対応処理を終了させる。
【０１０８】
＜工程Ｓ２０５＞
一方、工程Ｓ２０５において、ジョブ制御部５ｂが、ホスト装置８から受信されたジョブデータＪ０における対象データＤ０について、前記データ格納処理を実行する。その後、ジョブ制御部５ｂは、処理を工程Ｓ２０６へ移行させる。
【０１０９】
＜工程Ｓ２０６＞
工程Ｓ２０６において、感度設定部５ｅが、人感センサー７の感度を、前記基準感度よりも高い予め定められた高感度に設定する。その後、感度設定部５ｅは、処理を工程Ｓ２０７へ移行させる。
【０１１０】
＜工程Ｓ２０７＞
工程Ｓ２０７において、復帰状態選択部５ｆが、前記指定復帰状態と前記通常状態を選択する。その後、復帰状態選択部５ｆは、前記受信対応処理を終了させる。
【０１１１】
以上に示されるように、感度設定部５ｅは、ジョブデータＪ０の内容に応じて、前記特定装置が予め定められた前記休止状態であるときの人感センサー７の感度を設定する（図３の工程Ｓ２０１〜Ｓ２０３，Ｓ２０５，Ｓ２０６を参照）。
【０１１２】
具体的には、感度設定部５ｅは、ジョブデータＪ０の処理要求が前記プリント処理の要求である場合に、ジョブデータＪ０の処理要求が前記データ格納処理の要求である場合よりも、人感センサー７の感度を鈍い感度に設定する。
【０１１３】
また、復帰状態選択部５ｆは、ジョブデータＪ０の内容に応じて、予め定められた前記複数の候補状態の中から前記復帰状態を選択する（工程Ｓ２０１，Ｓ２０４，Ｓ２０７を参照）。
【０１１４】
［休止状態処理］
次に、図４に示されるフローチャートを参照しつつ、前記休止状態処理の手順の一例について説明する。
【０１１５】
ＣＰＵ５１は、前記復帰モードが前記特別復帰モードに設定さており、かつ、前記特定装置が前記休止状態であるときに、図４に示される前記休止状態処理を実行する。以下の説明において、Ｓ３０１，Ｓ３０２，…は、前記休止状態処理における複数の工程の識別符号を表す。
【０１１６】
＜工程Ｓ３０１＞
前記特定装置が前記休止状態であるときに、復帰制御部５ｄは、操作装置３ａに対して前記復帰操作が行われたか否かを判定する。即ち、工程Ｓ３０１において、復帰制御部５ｄは前記第１復帰条件が成立するか否かを判定する。
【０１１７】
復帰制御部５ｄは、操作装置３ａに対して前記復帰操作が行われたと判定する場合に処理を工程Ｓ３０２へ移行させ、そうでない場合に処理を工程Ｓ３０３へ移行させる。換言すれば、復帰制御部５ｄは、前記第１復帰条件が成立すると判定する場合に処理を工程Ｓ３０２へ移行させ、そうでない場合に、処理を工程Ｓ３０３へ移行させる。
【０１１８】
＜工程Ｓ３０２＞
工程Ｓ３０２において、復帰制御部５ｄは、前記特定装置を前記通常状態へ移行させる。これにより、前記休止状態処理が終了し、ＣＰＵ５１が、図２に示される前記通常状態処理を実行する。
【０１１９】
＜工程Ｓ３０３＞
工程Ｓ３０３において、感度設定部５ｅが、予め定められた計時開始時点から予め定められた初期化時間が経過したか否かを判定する。前記計時開始時点は、直近にジョブデータＪ０が受信された時点、または、直近に受信されたジョブデータＪ０に対応する対象データＤ０の処理が終了した時点である。
【０１２０】
そして、感度設定部５ｅは、前記計時開始時点から前記初期化時間が経過したと判定する場合に、処理を工程Ｓ３０４へ移行させ、そうでない場合に、処理を工程Ｓ３０５へ移行させる。
【０１２１】
＜工程Ｓ３０４＞
工程Ｓ３０４において、感度設定部５ｅが、図１の工程Ｓ３０１と同様に、人感センサー７の感度を予め定められた前記基準感度に設定する。その後、感度設定部５ｅは、処理を工程Ｓ３０１へ移行させる。
【０１２２】
＜工程Ｓ３０５＞
工程Ｓ３０５において、復帰制御部５ｄが、人感センサー７が人を検出するか否かを確認する。即ち、工程Ｓ３０５において、復帰制御部５ｄは前記第３復帰条件が成立するか否かを判定する。
【０１２３】
そして、復帰制御部５ｄは、人感センサー７が人を検出する場合に処理を工程Ｓ３０６へ移行させ、人感センサー７が人を検出しない場合に処理を工程Ｓ３０８へ移行させる。換言すれば、復帰制御部５ｄは、前記第３復帰条件が成立すると判定する場合に処理を工程Ｓ３０６へ移行させ、そうでない場合に、処理を工程Ｓ３０８へ移行させる。
【０１２４】
人感センサー７の感度が、図３に示される前記受信対応処理の工程Ｓ２０３または工程Ｓ２０６において設定されていた場合、前記計時開始時点からの経過時間が前記初期化時間に達するまでは、人感センサー７の感度が前記受信対応処理で設定された感度に維持されたまま、工程Ｓ３０５の処理が実行される。
【０１２５】
＜工程Ｓ３０６＞
工程Ｓ３０６において、感度設定部５ｅが、図２の工程Ｓ１０１と同様に、人感センサー７の感度を予め定められた前記基準感度に設定する。その後、感度設定部５ｅは、処理を工程Ｓ３０７へ移行させる。
【０１２６】
人感センサー７の感度が、図３に示される前記受信対応処理の工程Ｓ２０３または工程Ｓ２０６において設定されていた場合、工程Ｓ３０６において、人感センサー７の感度は前記基準感度に初期化される。
【０１２７】
＜工程Ｓ３０７＞
工程Ｓ３０７において、復帰制御部５ｄが、前記特定装置を前記指定復帰状態へ移行させる。その後、復帰制御部５ｄは、前記休止状態処理を終了させる。
【０１２８】
前述したように、前記指定復帰状態は、前記受信対応処理において、ジョブデータＪ０の内容に応じて設定される状態である（図３の工程Ｓ２０１，Ｓ２０３，Ｓ２０６を参照）。
【０１２９】
前記指定復帰状態が前記通常状態である場合、ＣＰＵ５１は、工程Ｓ３０７の処理に続いて、図２に示される前記通常状態処理を実行する。
【０１３０】
一方、前記指定復帰状態が前記中間状態である場合、ＣＰＵ５１は、工程Ｓ３０７の処理に続いて、後述する中間状態処理を実行する（図５参照）。
【０１３１】
以上に示されるように、復帰制御部５ｄは、前記特定装置が前記休止状態である状況下で人感センサー７により人が検出されたときに、前記特定装置を前記休止状態から前記指定復帰状態へ移行させる（Ｓ３０７）。前記指定復帰状態は、前記休止状態よりも消費電力の大きな状態である。
【０１３２】
＜工程Ｓ３０８＞
工程Ｓ３０８において、復帰制御部５ｄが、ジョブデータＪ０がホスト装置８から受信されるか否かを確認する。即ち、工程Ｓ３０８において、復帰制御部５ｄは前記第２復帰条件が成立するか否かを判定する。
【０１３３】
復帰制御部５ｄは、ジョブデータＪ０がホスト装置８から受信された場合に処理を工程Ｓ３０２へ移行させ、そうでない場合に処理を工程Ｓ３０１へ移行させる。換言すれば、復帰制御部５ｄは、前記第２復帰条件が成立すると判定する場合に、処理を工程Ｓ３０２へ移行させ、そうでない場合に、処理を工程Ｓ３０１へ移行させる。
【０１３４】
復帰制御部５ｄが、処理を工程Ｓ３０８から工程Ｓ３０２へ移行させた場合、ジョブデータＪ０が未処理のまま残っている状態で、図２に示される前記通常状態処理が実行される。
【０１３５】
上記の場合、図２の工程Ｓ１０２において、ジョブ制御部５ｂがジョブデータＪ０の受信を認識し、図３に示される前記受信対応処理が実行される。これにより、人感センサー７の感度がジョブデータＪ０の内容に応じて設定されるとともに、２つの前記候補状態から前記指定復帰状態が選択される（図３参照）。
【０１３６】
さらに、前記受信対応処理に続いて前記通常状態処理が実行される際に、図２の工程Ｓ１０２の処理を経て工程Ｓ１０４の処理が実行される。ここで、前記第１休止条件における前記無操作状態の継続時間は、前記特定装置が前記休止状態へ移行することによっては初期化されない。そのため、工程Ｓ１０４において前記第１休止条件が成立する。
【０１３７】
従って、処理が工程Ｓ１０４から工程Ｓ１０５へ移行されるため、前記特定装置は、前記受信対応処理が実行された後に速やかに前記休止状態へ移行する。このようにして前記特定装置が前記休止状態へ移行した場合、人感センサー７は、前記計時開始時点からの経過時間が前記初期化時間に達するまでは、ジョブデータＪ０の内容に応じて設定された感度で人を検出する（図４の工程Ｓ３０３，Ｓ３０４参照）。
【０１３８】
［中間状態処理］
次に、図５に示されるフローチャートを参照しつつ、前記中間状態処理の手順の一例について説明する。
【０１３９】
ＣＰＵ５１は、前記復帰モードが前記特別復帰モードに設定さており、かつ、前記特定装置が前記中間状態であるときに、図５に示される前記中間状態処理を実行する。以下の説明において、Ｓ４０１，Ｓ４０２，…は、前記中間状態処理における複数の工程の識別符号を表す。
【０１４０】
＜工程Ｓ４０１＞
前記特定装置が前記休止状態であるときに、休止制御部５ｃが、図２の工程Ｓ１０４と同様に、前記休止条件が成立するか否かを判定する。そして、休止制御部５ｃは、前記休止条件が成立すると判定する場合、処理を工程Ｓ４０２移行させ、そうでない場合、処理を工程Ｓ４０３へ移行させる。
【０１４１】
＜工程Ｓ４０２＞
工程Ｓ４０２において、休止制御部５ｃが、前記特定装置を前記休止状態へ移行させる。これにより、前記中間状態処理が終了する。
【０１４２】
＜工程Ｓ４０３＞
一方、工程Ｓ４０３において、復帰制御部５ｄが、図４の工程Ｓ３０１と同様に、操作装置３ａに対して前記復帰操作が行われたか否かを判定する。即ち、工程Ｓ４０３において、復帰制御部５ｄは前記第１復帰条件が成立するか否かを判定する。
【０１４３】
復帰制御部５ｄは、操作装置３ａに対して前記復帰操作が行われたと判定する場合に処理を工程Ｓ４０５へ移行させ、そうでない場合に処理を工程Ｓ４０４へ移行させる。
【０１４４】
＜工程Ｓ４０４＞
工程Ｓ４０４において、感度設定部５ｅが、図４の工程Ｓ３０３と同様に、前記計時開始時点から前記初期化時間が経過したか否かを判定する。
【０１４５】
そして、感度設定部５ｅは、前記計時開始時点から前記初期化時間が経過したと判定する場合に、処理を工程Ｓ４０５へ移行させ、そうでない場合に、処理を工程Ｓ４０６へ移行させる。
【０１４６】
＜工程Ｓ４０５＞
工程Ｓ４０５において、感度設定部５ｅが、図４の工程Ｓ３０４と同様に、人感センサー７の感度を予め定められた前記基準感度に設定する。その後、感度設定部５ｅは、処理を工程Ｓ４０１へ移行させる。
【０１４７】
＜工程Ｓ４０６＞
工程Ｓ４０６において、復帰制御部５ｄが、図４の工程Ｓ３０８と同様に、ジョブデータＪ０がホスト装置８から受信されるか否かを確認する。即ち、工程Ｓ４０６において、復帰制御部５ｄは前記第２復帰条件が成立するか否かを判定する。
【０１４８】
復帰制御部５ｄは、ジョブデータＪ０がホスト装置８から受信された場合に処理を工程Ｓ４０７へ移行させ、そうでない場合に処理を工程Ｓ４０１へ移行させる。換言すれば、復帰制御部５ｄは、前記第２復帰条件が成立すると判定する場合に、処理を工程Ｓ４０７へ移行させ、そうでない場合に、処理を工程Ｓ４０１へ移行させる。
【０１４９】
＜工程Ｓ４０７＞
工程Ｓ４０７において、復帰制御部５ｄは、前記特定装置を前記通常状態へ移行させる。これにより、前記中間状態処理が終了し、ＣＰＵ５１が、図２に示される前記通常状態処理を実行する。
【０１５０】
前述したように、前記特定装置が、図１の工程Ｓ１０４での前記第１休止条件の成立によって前記休止状態へ移行した後に、図４の工程Ｓ３０８で判定される前記第２復帰条件の成立によって前記通常状態へ移行する場合がある。
【０１５１】
前記第１休止条件は、前記無操作状態の継続に関する条件であり、前記第２復帰条件は、ジョブデータＪ０の受信に関する条件である。
【０１５２】
また、前記第１休止条件における前記無操作状態の継続時間は、前記特定装置が前記休止状態へ移行することによっては初期化されない。そのため、前記特定装置は、図３の前記受信対応処理が終了したときに、前記第１休止条件の成立よって速やかに前記休止状態へ移行する（図１の工程Ｓ１０４，Ｓ１０５参照）。
【０１５３】
以下の説明において、ジョブデータＪ０の受信に応じて前記プリント処理が実行され、その後速やかに前記特定装置が前記休止状態へ移行したときの画像形成装置１０の状態のことをプリント後休止状態と称する。
【０１５４】
また、ジョブデータＪ０の受信に応じて前記データ格納処理が実行され、その後速やかに前記特定装置が前記休止状態へ移行したときの画像形成装置１０の状態のことをデータ格納後休止状態と称する。
【０１５５】
前記プリント後休止状態において、前記計時開始時点からの経過時間が前記初期化時間に達するまでは、人感センサー７の感度は前記低感度に設定されている（図３の工程Ｓ２０２，Ｓ２０３を参照）。
【０１５６】
従って、前記プリント後休止状態において、ユーザーが、画像形成装置１０に近づいた後に、目的の印刷物を取得してすぐに画像形成装置１０から離れる場合に、人感センサー７はそのユーザーを検出しない。その結果、前記特定装置が無駄に前記通常状態へ復帰することが回避され、画像形成装置１０の電力消費が抑制される。
【０１５７】
一方、前記データ格納後休止状態において、前記計時開始時点からの経過時間が前記初期化時間に達するまでは、人感センサー７の感度は前記高感度に設定されている（図３の工程Ｓ２０５，Ｓ２０７を参照）。
【０１５８】
従って、前記データ格納後休止状態において、ユーザーが、前記格納データ出力操作を行うために画像形成装置１０の位置へ移動したときに、人感センサー７はそのユーザーを速やかに検出する。その結果、前記特定装置が速やかに前記通常状態へ復帰し、前記ユーザーの待ち時間を短縮することができる。
【０１５９】
以上に示されるように、画像形成装置１０が採用されることにより、電力消費を抑えつつ電力消費の小さな前記休止状態から前記通常状態へ復帰する際のユーザーの待ち時間を短くすることができる。
【０１６０】
また、復帰状態選択部５ｆは、ジョブデータＪ０の内容に応じて前記複数の候補状態の中から前記復帰状態を選択する（工程Ｓ２０１，Ｓ２０４，Ｓ２０７を参照）。
【０１６１】
具体的には、復帰状態選択部５ｆは、ジョブデータＪ０の処理要求が前記データ格納処理の要求である場合に前記通常状態を前記指定復帰状態として選択する。前記通常状態は、ジョブデータＪ０の処理要求が前記プリント処理の要求である場合に選択される前記中間状態よりも、前記プリント処理を実行可能な状態への移行時間が短い。
【０１６２】
従って、画像形成装置１０は、前記格納データ出力操作を行いたいユーザーの待ち時間をより短縮することができる。
【０１６３】
また、感度設定部５ｅは、前記特定装置が前記休止状態へ移行した後に、前記計時開始時点からの経過時間が前記初期化時間を越えたときに、人感センサー７の感度を、ジョブデータＪ０の内容に応じて設定された感度から予め定められた前記基準感度へ変更する（図４の工程Ｓ３０３，Ｓ３０４を参照）。
【０１６４】
さらに、感度設定部５ｅは、前記特定装置が前記休止状態へ移行した後に、操作装置３ａに予め定められた前記復帰操作が行われたときにも、人感センサー７の感度を、ジョブデータＪ０の内容に応じて設定された感度から予め定められた前記基準感度へ変更する（図４の工程Ｓ３０１，Ｓ３０２および図２の工程Ｓ１０１を参照）。
【０１６５】
従って、ジョブデータＪ０の内容に応じて設定された人感センサー７の感度が、必要以上に維持されることが回避される。なお、前記計時開始時点からの経過時間が前記初期化時間を越えること、または、操作装置３ａに前記復帰操作が行われることは、予め定められた初期化条件の一例である。なお、前記初期条件が、前記計時開始時点からの経過時間が前記初期化時間を越えること、および、操作装置３ａに前記復帰操作が行われること、のうちのいずれか一方であることも考えられる。
【０１６６】
［応用例］
以上に示される実施形態において、復帰状態選択部５ｆおよびその処理が省略されることも考えられる。
【符号の説明】
【０１６７】
１        ：プリント処理装置
１ａ      ：シート搬送機構
１ｂ      ：感光体
１ｃ      ：帯電装置
１ｄ      ：レーザースキャニングユニット
１ｅ      ：現像装置
１ｆ      ：転写装置
１ｇ      ：定着装置
２        ：画像読取装置
２ａ      ：光源
２ｂ      ：走査機構
２ｃ      ：イメージセンサー
３        ：ユーザーインターフェイスユニット
３ａ      ：操作装置
３ｂ      ：表示装置
４        ：二次記憶装置
５        ：制御装置
５ａ      ：主制御部
５ｂ      ：ジョブ制御部
５ｃ      ：休止制御部
５ｄ      ：復帰制御部
５ｅ      ：感度設定部
５ｆ      ：復帰状態選択部
６        ：通信装置
７        ：人感センサー
８        ：ホスト装置
１０      ：画像形成装置
５０      ：プリントエンジン
５１      ：ＣＰＵ
５２      ：ＲＡＭ
８０      ：ネットワーク
９１      ：シート
９２      ：原稿
ＣＭ０    ：ジョブ要求コマンド
Ｄ０      ：対象データ
Ｊ０      ：ジョブデータ
【図１】
2020014031.tif 000003
【図２】
2020014031.tif 000004
【図３】
2020014031.tif 000005
【図４】
2020014031.tif 000006
【図５】
2020014031.tif 000007